(57)【特許請求の範囲】
【請求項１】
両側にひだｇを有するかまたは有しない筒状体先端を折り込み線１ａｘで折り込んで、折り込み部１ａを設けた袋本体１に、糊着層あるいは熱接着樹脂層２ｘを裏面全面に設けたオーバーテープ２を冠せ、
オーバーテープ２に装着したカットテープ３を引きちぎることにより開封する紙袋において、
袋本体１の折り込み部１ａの開口部に第１段部１ａ１、第２段部１ａ２、第３段部１ａ３を設け、
カットテープ３のレベルを、第２段部１ａ２の開口部のレベルに一致せしめるとともに、第３段部１ａ３の開口部先端はカットテープ３のレベルと、わづかに異なるレベルとしておき、さらに、第１段部１ａ１と第２段部１ａ２の境い目相当位置の折り込み部１ａには切れ目１ｍを設けておき、
一方、オーバーテープ２のカットテープ３は前記第２段部１ａ２の開口部と同一のレベルに設けてある、かつ前記第１段部１ａ１，第２段部１ａ２の境い目の相当位置のオーバーテープ２にはミシン目２ｍを設けておき、
第１に、第３段部１ａ３の開口部を封緘する部分のオーバーテープ糊着層あるいは熱接着樹脂層２ｘの部分２ｘ１を剥がし、
第２に、カットテープ３でオーバーテープ２を引きちぎることにより、前記第２段部１ａ２、第３段部１ａ３の開口部を開封すると同時に、折り込み線１ａｘを境として反転せしめ、第１段部１ａ１はオーバーテープ２とともに反転しないように構成した、
紙袋。
【請求項２】
両側にひだｇを有するかまたは有しない筒状体先端を折り込み線１１ａｘで折り込んで、折り込み部１１ａを設けた袋本体１１に、糊着層あるいは熱接着樹脂層１２ｘを裏面全面に設けたオーバーテープ１２を冠せ、
オーバーテープ１２に装着したカットテープ１３を引きちぎることにより開封する紙袋において、
袋本体１１の折り込み部１１ａの開口部に中央凸部１１ａ１，両側凹部１１ａ２，１１ａ２を設け、カットテープ１３のレベルと、中央凸部１１ａ１と開口部のレベルとを一致せしめておき、かつ、中央凸部１１ａ１と両側凹部１１ａ２，１１ａ２との境い目相当位置の折り込み部１１ａには切れ目１１ｍを設けておき、
一方、オーバーテープ１２のカットテープ１３は前記中央凸部１１ａ１の開口部と同じレベルに装着しておき、かつ前記中央凸部１１ａ１と両側凹部１１ａ２，１１ａ２との境い目の相当位置のオーバーテープ１２にはミシン目１２ｍを刻んでおき、
カットテープ１３でオーバーテープ１２を引きちぎることにより、中央凸部１１ａ１の開口部を開封すると同時に、折り込み線１１ａｘを境として反転せしめ、両側凹部１１ａ２，１１ａ２はオーバーテープ２とともに、反転しないように構成した、
紙袋。
【請求項３】
両側にひだｇを有するかまたは有しない筒状体先端を折り込み線１１１ａｘで折り込んで、折り込み部１１１ａを設けた袋本体１１１に、糊着層あるいは熱接着樹脂層１１２ｘを裏面全面に設けたオーバーテープ１１２を冠せ、
袋本体１１１の折り込み部１１１ａの開口部に中央凹部１１１ａ１，両側凸部１１１ａ２，１１１ａ２を設け、カットテープ１１３のレベルと、中央凹部１１１ａ１の開口部のレベルとを一致せしめておき、かつ、中央凹部１１１ａ１と両側凸部１１１ａ２，１１１ａ２との境い目相当位置の折り込み部１１１ａに切れ目１１１ｍを設けておき、
一方、オーバーテープ１１２のカットテープ１１３は前記中央凹部１１１ａ１の開口部と同じレベルに装着しておき、かつ、前記中央凹部１１１ａ１と両側凸部１１１ａ２，１１１ａ２との境い目の相当位置のオーバーテープ１１２にはミシン目１１２ｍを刻んでおき、
カットテープ１１３でオーバーテープ１１２を引きちぎることにより、中央凹部１１１ａ１の開口部を開封すると同時に、折り込み線１１１ａｘを境として反転せしめ、両側凸部１１１ａ２，１１１ａ２はオーバーテープ１１２とともに反しないように構成した、
紙袋。
【発明の詳細な説明】
【０００１】
【発明の属する技術分野】
オーバーテープが袋本体の両側に突出しない紙袋。
【０００２】
【従来技術】
従来の重包装袋体においては、そのオーバーテープが袋本体の両側に突出していた。なぜならば、袋本体の筒状体先端部は折り込み部を設けて折り込んでおり、もし、オーバーテープを袋本体の筒状体の幅方向に収めようとすると、オーバーテープに装着するカットテープのつまみ部は設けた切り込みが、折り込み部の開口部に連通して、この連通した開口部から異物の侵入することがあるからである。
【０００３】
【解決しようとする課題】
オーバーテープの両側部が、袋本体の両側に突出しないで、搬送に便利な形態の重包装袋を得ること。ただし、折り込み部の開口部から異物が侵入してはならない。
【０００４】
【第１発明の技術的手段】
筒状体先端を折り込み線１ａｘで折り込んで、折り込み部１ａを設けた袋本体１に、糊着層あるいは熱接着樹脂層２ｘを裏面全面に設けたオーバーテープ２を冠せ、
オーバーテープ２に装着したカットテープ３を引きちぎることにより開封する紙袋において、
【０００５】
袋本体１の折り込み部１ａの開口部に第１段部１ａ１、第２段部１ａ２、第３段部１ａ３を設け、
【０００６】
カットテープ３のレベルを、第２段部１ａ２の開口部のレベルに一致せしめるとともに、第３段部１ａ３の開口部先端はカットテープ３のレベルと、わづかに異なるレベルとしておき、さらに、第１段部１ａ１と第２段部１ａ２の境い目相当位置の折り込み部１ａには切れ目１ｍを設けておき、
【０００７】
一方、オーバーテープ２のカットテープ３は前記第１段部１ａ１の開口部と同一のレベルに設けてある、かつ前記第１段部１ａ１、第２段部１ａ２の境い目相当位置のオーバーテープ２にはミシン目２ｍを設けておき、
【０００８】
第１に、第３段部１ａ３の開口部を封緘する部分のオーバーテープ糊着層あるいは熱接着樹脂層２ｘの部分２ｘ１を剥がし、
【０００９】
第２に、カットテープ３でオーバーテープ２を引きちぎることにより、前記第２段部１ａ２、第３段部１ａ３の開口部を開封すると同時に、折り込み線１ａｘを境として反転せしめ、第１段部１ａ１はオーバーテープ２とともに反転しないように構成した、紙袋。
【００１０】
【第１発明の実施の形態】
図１〜１０において、
１：袋本体、１ａ：折り込み部、１ａ１：第１段部、１ａ２：第２段部、１ａ３：第３段部、１ｍ：切目、
２：オーバーテープ、２ｘ：糊着層あるいは熱接着樹脂層、２ｍ：ミシン目、
３：カットテープ、
４：切り込み、
ｇ：ひだ、
【００１１】
第１発明は、図１〜１０に示されるように
両側にひだｇを有するまたは有しない筒状体先端を折り込み線１ａｘで折り込んで、折り込み部１ａを設けた袋本体１に、糊着層あるいは熱接着樹脂層２ｘを裏面全面に設けたオーバーテープ２を冠せ、
オーバーテープ２に装着したカットテープ３を引きちぎることにより開封する紙袋において、
【００１２】
袋本体１の折り込み部１ａの筒状先端の開口部に第１段部１ａ１、第２段部１ａ２、第３段部１ａ３を設ける。
【００１３】
そして、図１，図２（ａ），図３のように袋本体１には、カットテープ３のレベルを、第２段部１ａ２の開口部のレベルに一致せしめるとともに、第３段部１ａ３の開口部先端はカットテープ３のレベルと、わづかに異なるレベルとしておき、さらに、第１段部１ａ１と第２段部１ａ２の境い目相当位置の折り込み部１ａには切れ目１ｍを設けておく。
【００１４】
一方、図１，図２（ｂ），図４のように、オーバーテープ２のカットテープ３は前記第１段部１ａ１の開口部と同一のレベルに設けてある、かつ前記第１段部１ａ１、第２段部１ａ２の境い目相当位置のオーバーテープ２にはミシン目２ｍを設けておく。
【００１５】
以下、その作動順序を説明する。
第１に、第３段部１ａ３の開口部を封緘する部分のオーバーテープ糊着層あるいは熱接着樹脂層２ｘの部分２ｘ１を剥がす。部分２ｘ１は切込み４の一方のものの位置に相当する。
【００１６】
第２に、カットテープ３でオーバーテープ２を引きちぎることにより、前記第２段部１ａ２，第３段部１ａ３の開口部を開封すると同時に、折り込み線１ａｘを境として反転せしめ、第１段部１ａ１はオーバーテープ２とともに反転しない。
【００１７】
図１，図２は封緘時の状態を示し、図３は開封時の袋本体１の状態を斜視図で示し、図４はオーバーテープ２の展開図を、図５は開封時の袋本体１の正面図を、図６は開封時のオーバーテープ２の分解斜視図を、図７はオーバーテープ２の開封時の状態を斜視図で示す。
【００１８】
【第２発明の実施の形態】
図１０〜１５において、
１１：袋本体、１１ａ：折り込み部、１１ａ１：中央凸部、１１ａ２：両側凹部、１１ｍ：切目、
１２：オーバーテープ、１２ｘ：糊着層あるいは熱接着樹脂層、１２ｍ：ミシン目、
１３：カットテープ、
１４：切り込み、
ｇ：ひだ、
【００１９】
第２発明は、オーバーテープ１２の両側部を袋本体１１の両側に突出させないため、袋本体１１の折り込み部１１ａに、中央凸部１１ａ１、両側凹部１１ａ２，１１ａ２を設ける。
またオーバーテープ１２には、前記中央凸部１１ａ１と両側凹部１１ａ２，１１ａ２との境い目相当位置のオーバーテープ１２にミシン目１２ｍを設ける。（図１０，１２（ｂ），１３，１４）
【００２０】
また折り込み部１１ａの中央凸部１１ａ１と両側凹部１１ａ２，１１ａ２の境い目相当位置の折り込み部１１ａには切目１１ｍを設ける。（図１０，１２（ａ），１４）
【００２１】
以下、その作用について説明する。
カットテープ１３で、オーバーテープ１２を引きちぎると、カットテープ１３のレベルを中央凸部１１ａ１の開口部と同じレベルにしておくので、中央凸部１１ａ１の開口部は開口し、かつ、切目１１ｍを境いとして、両側凹部１１ａ２，１１ａ２を残して反転する。（図１４）
【００２２】
このとき、オーバーテープ１２もミシン目１２ｍを境としてまた、図１５に示すように、中央凸部１１ａ１とともに反転する。
これに対し、図１４に示すように両側凹部１１ａ２，１１ａ２は反転することがない。なぜならば、糊着層１２ｘによって、両側凹部１１ａ２，１１ａ２の開口部は閉塞されたままで、反転することができないからである。
【００２３】
また図１５のようにオーバーテープ１２の両側部もミシン目１２ｍを境として反転しない。両側凹部１１ａ２，１１ａ２を糊着層あるいは熱接着樹脂層１２ｘで糊着しているので、反転することがない。
結局、折り込み部１１ａの中央凸部１１ａ１部分のみが、オーバーテープ１２の中央部分とともに反転する。この状態を図１４に示してある。
【００２４】
したがって、両側凹部１１ａ２，１１ａ２の開口部は閉塞されている間に、中央凸部１１ａ１のみから内容物は排出されるので、両側凹部１１ａ２，１１ａ２の開口部から異物の侵入することはない。
【００２５】
【第３発明の実施の形態】
図１６〜図２０において、
１１１：袋本体、１１１ａ：折り込み部、１１１ａ１：中央凹部、１１１ａ２：両側凸部、１１１ｍ：切目、
１１２：オーバーテープ、１１２ｘ：糊着層あるいは熱接着樹脂層、１１２ｍ：ミシン目、
１１３：カットテープ、
１１４：切り込み、
ｇ：ひだ、
【００２６】
第３発明は、オーバーテープ１１２の両側部を袋本体１１１の両側に突出させないため、次の構成をとったものである。
袋本体１１１の折り込み部１１１ａの開口部に中央凹部１１１ａ１、両側凸部１１１ａ２を設ける。（図１６，図１７（ａ），図１９）
【００２７】
そして、中央凹部１１１ａ１と両側凸部１１１ａ２，１１１ａ２との境い目相当位置の折り込み部１１１ａに切目１１１ｍを切り込んでおく。
【００２８】
一方、オーバーテープ１１２の前記中央凹部１１１ａ１と両側凸部１１１ａ２，１１１ａ２との境い目相当箇所のオーバーテープ１１２にミシン目１１２ｍを刻み込んでおく。（図１６，図１７（ｂ），図１９）
【００２９】
また、オーバーテープ１１２に装着したカットテープ１１３のレベルには中央凹部１１１ａ１の開口部のレベルと一致させておく。（図１７）
【００３０】
以下その作用について説明する。
カットテープ１１３で、オーバーテープ１１２を引きちぎると、折り込み部１１１ａの開口部のみ開口して、ミシン目１１１２ｍで分離されたオーバーテープ１１２の部分とともに反転する。（図１８，図１９）
【００３１】
一方、両側凸部１１１ａ２，１１１ａ２は図１８，１９，２０に示すように、その開口部は、オーバーテープ１１２の残存部１１２Ｒの糊着層あるいは熱接着樹脂層１１２ｘにより糊着され、開封されることがない。
【００３２】
したがって、内容物は中央凹部１１１ａ１部分のみから排出されるとともに、両側凸部１１ａ２，１１ａ２の開口部は封緘されて、異物の侵入することがない。
【００３３】
【第１発明の効果】
折り込み部１ａの反転時、第１，第２段部１ａ２，１ａ３のみ反転して内容物を排出する。そして、第１段部１ａ１はオーバーテープ２とともに反転しないので、反転しない第１段部１ａ１の開口部から異物の侵入することがない。
【００３４】
かくして、オーバーテープ２が袋本体１の両側より突出することなく、搬送に適合した形態の紙袋を得ることができる。
【００３５】
【第２発明の効果】
第１発明と異なり中央凸部１１ａ１のみ開封時反転して、内容物を排出する。その両側凹部１１ａ２，１１ａ２は開口することなく異物の侵入することがない。そして第１発明と同様、搬送に適合した形状の紙袋を得ることができる。
【００３６】
【第３発明の効果】
第２発明と異なり、中央凹部１１１ａ１のみ開封時反転して内容物を排出する。その両側凸部１１１ａ２，１１１ａ２は開口することなく、異物の侵入することがない。そして第１，第２発明と同様、搬送に適合した形状の紙袋を得ることができる。
【図面の簡単な説明】
【図１】  紙袋の分解斜視図、
【図２】（ａ）  袋本体１の正面図、
（ｂ）  オーバーテープ２の正面図、
【図３】  袋本体１の反転時の斜視図、
【図４】  オーバーテープ２の斜視図、
【図５】  袋本体１の反転時の正面図、
【図６】  反転時の袋本体１とオーバーテープ２の斜視図、
【図７】  オーバーテープ２の反転時の斜視図、
【図８】  図５  ｆ８−ｆ８断面図、
【図９】（ａ）  図５のｆ９−ｆ９封緘時断面図、
（ｂ）  同じく反転時の断面図、
【図１０】  紙袋１１の分解斜視図、
【図１１】（ａ）  袋本体１１の封緘時の正面図、
（ｂ）  オーバーテープ１２の封緘時の正面図、
【図１２】（ａ）  図１０  ｆ１２ａ−ｆ１２ａ断面図、
（ｂ）  図１０  ｆ１３ａ−ｆ１３ａ断面図、
【図１３】  紙袋の反転時の正面図、
【図１４】  同じく反転時の斜視図、
【図１５】  オーバーテープ１２の反転時の作動の斜視図。
【図１６】  紙袋の分解斜視図、
【図１７】（ａ）  封緘時の袋本体１１１の正面図、
（ｂ）  同じくオーバーテープ１１２の正面図、
【図１８】  紙袋の反転時の斜視図、
【図１９】  袋本体１１１の反転時の斜視図、
【図２０】  オーバーテープ１１２の反転時の斜視図、
【符号の説明】
１：袋本体、
１ａ：折り込み部、
１ａ１：第１段部、
１ａ２：第２段部、
１ａ３：第３段部、
１ｍ：切目、
２：オーバーテープ、
２ｘ：糊着層あるいは熱接着樹脂層、
２ｘ１：第３段部１ａ３の部分の糊着層、
２ｍ：ミシン目、
３：カットテープ、
４：切り込み、
ｇ：ひだ、
１１：袋本体、
１１ａ：折り込み部、
１１ａ１：中央凸部、
１１ａ２：両側凹部、
１１ｍ：切目、
１２：オーバーテープ、
１２ｘ：糊着層あるいは熱接着樹脂層、
１２ｍ：ミシン目、
１３：カットテープ、
１４：切り込み、
ｇ：ひだ、
１１１：袋本体、
１１１ａ：折り込み部、
１１１ａ１：中央凹所、
１１１ａ２：両側凸部、
１１１ｍ：切目、
１１２：オーバーテープ、
１１２ｘ：糊着層あるいは熱接着樹脂層、
１１２ｍ：ミシン目、
１１３：カットテープ、
１１４：切り込み、
ｇ：ひだ。
【図１】
0003762546.tif 000002
【図２】
0003762546.tif 000003
【図３】
0003762546.tif 000004
【図４】
0003762546.tif 000005
【図５】
0003762546.tif 000006
【図６】
0003762546.tif 000007
【図７】
0003762546.tif 000008
【図８】
0003762546.tif 000009
【図９】
0003762546.tif 000010
【図１０】
0003762546.tif 000011
【図１１】
0003762546.tif 000012
【図１２】
0003762546.tif 000013
【図１３】
0003762546.tif 000014
【図１４】
0003762546.tif 000015
【図１５】
0003762546.tif 000016
【図１６】
0003762546.tif 000017
【図１７】
0003762546.tif 000018
【図１８】
0003762546.tif 000019
【図１９】
0003762546.tif 000020
【図２０】
0003762546.tif 000021